(57)【要約】      （修正有）【課題】画像処理装置の省電力状態における省電力効果の向上及びディスク記憶装置への電源供給有無の任意設定可能化を図ること。【解決手段】画像処理装置の動作を制御するコントローラボード１００上に構成される制御部１０８と、ＨＤＤ１０７へ電源を供給するＨＤＤ電源供給用のトランジスタと、制御部１０８を含むコントローラボード１００各部への電源供給を停止する信号を送信するコントローラ省電力切換用のトランジスタと、信号Ｓ４に基づいてＨＤＤ電源供給用のトランジスタの電源供給有無を切り換える信号を送信する論理和回路とを有することを特徴とする。【選択図】図２
2008179058.tif 000002
【特許請求の範囲】
【請求項１】
ディスク記憶装置を搭載可能な画像処理装置であって、
動作制御を行う制御部と、前記ディスク記憶装置へ電源を供給する電源供給回路と、少なくとも前記制御部を含む各部への電源供給を停止する省電力信号を送信する省電力信号送信部と、前記省電力信号に基づいて前記電源供給回路の電源供給有無を切り換える電源切換信号を送信する電源切換回路と、を備えることを特徴とする画像処理装置。
【請求項２】
画像処理を実行する実行エンジンと、前記実行エンジンを駆動するエンジン駆動部と、を備え、前記省電力信号送信部は、前記エンジン駆動部への電源供給有無状態を示すエンジン電源切換信号に基づいて前記省電力信号を送信することを特徴とする請求項１に記載の画像処理装置。
【請求項３】
前記省電力信号送信部は、前記エンジン電源切換信号の状態遷移に応じた前記省電力信号の状態遷移タイミングを調整するタイミング調整回路を備えることを特徴とする請求項２に記載の画像処理装置。
【請求項４】
前記省電力信号送信部が送信する前記省電力信号の信号状態に関わらず、前記電源切換回路に入力される信号の信号状態を固定する切換スイッチを備えることを特徴とする請求項１乃至３いずれか１項に記載の画像処理装置。
【請求項５】
前記制御部は、前記画像処理装置を省電力状態へと遷移させる省電力制御信号を送信し、前記省電力信号送信部は、前記省電力制御信号の状態が“Ｌｏｗ”である場合に前記省電力信号を送信することを特徴とする請求項１乃至４いずれか１項に記載の画像処理装置。
【請求項６】
前記制御部は、前記ディスク記憶装置への電源供給を停止する電源制御信号を送信し、前記電源切換回路は前記省電力信号と前記電源制御信号とに基づいて前記電源切換信号を送信することを特徴とする請求項１乃至５いずれか１項に記載の画像処理装置。
【請求項７】
前記省電力信号送信部は、前記制御部が送信する制御信号の状態が“Ｌｏｗ”に遷移したことに応じて前記省電力信号として“Ｈｉｇｈ”状態の信号を出力し、前記電源切換回路は、前記電源制御信号と前記省電力信号との論理和により前記電源切換信号を生成することを特徴とする請求項６に記載の画像処理装置。
【請求項８】
前記ディスク記憶装置と前記制御部との間で信号を伝達する中間回路と、前記省電力信号に基づいて前記中間回路への信号の入力及び前記中間回路からの信号の出力のうち少なくともいずれか一方を遮断する出力可否切換回路と、を備え、前記中間回路は、前記省電力信号に基づいて電源供給が停止されることを特徴とする請求項１乃至７いずれか１項に記載の画像処理装置。
【請求項９】
前記出力可否切換回路は、前記省電力信号と前記制御部が送信する制御信号とに基づいて動作することを特徴とする請求項８に記載の画像処理装置。
【請求項１０】
前記ディスク記憶装置と前記制御部との間で信号を伝達する中間回路と、前記省電力信号と前記電源制御信号とに基づいて前記中間回路への信号の入力及び前記中間回路からの信号の出力のうち少なくともいずれか一方を遮断する出力可否切換回路と、を備え、前記中間回路は、前記省電力信号に基づいて電源供給が停止されることを特徴とする請求項６又は７に記載の画像処理装置。
【請求項１１】
ディスク記憶装置を搭載可能な画像処理装置の制御方法であって、
前記画像処理装置の状態に応じて、当該画像処理装置を所定の状態に遷移させる装置状態遷移信号を送信し、前記装置状態遷移信号に基づいて少なくとも前記画像処理装置の動作を制御する制御部を含む各部への電源供給を停止する省電力信号を送信し、前記第省電力信号に基づいて前記ディスク記憶装置への電源供給有無を切り換える電源切換信号を送信することを特徴とする画像処理装置の制御方法。
【発明の詳細な説明】
【技術分野】
【０００１】
本発明は、画像処理装置及びその制御方法に関し、特にディスク記憶装置の搭載された画像処理装置の電源制御に関する。
【背景技術】
【０００２】
近年、情報の電子化が推進される傾向にあり、電子化された情報の出力に用いられるプリンタやファクシミリ、書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。このような画像処理装置がＨＤＤ（Hard Disk Drive）等のディスク記憶装置を有し、出力画像及び撮像画像を蓄積することにより、利便性を高めることが近年知られている。
他方、上記のような画像処理装置においては、装置が所定時間使用されなかった場合等に装置の特定部位への電源供給を停止し、省電力化を図ることが行われている。ＨＤＤを有する画像処理装置の省電力化を図る技術としては、装置のコントローラが、装置全体の省電力を制御する信号とＨＤＤの省電力を制御する信号とを有し、装置の省電力状態であっても装置外部からのアクセスに応じてＨＤＤのみ電源を供給する技術が提案されている（例えば、特許文献１参照）。
【特許文献１】特開２００５−１８６４２５号公報
【発明の開示】
【発明が解決しようとする課題】
【０００３】
現状、一般的に流通しているＨＤＤには、電源ＯＮ／ＯＦＦの回数に所定の耐用回数が定められており、定められた耐用回数をオーバーすると装置の信頼性が低下する。特許文献１に開示されるような省電力化の方法を用いる場合、ＨＤＤの電源ＯＮ／ＯＦＦ回数が増大してしまい、通常よりもＨＤＤの信頼性の低下を早めてしまう可能性がある。また、ＨＤＤは、電源投入後アクセス可能になるまで、所定の立ち上げ時間を有する。従って、画像処理装置の省電力状態においてＨＤＤへの電源供給を停止する場合、省電力状態からの復帰に更に時間を要することとなる。このような課題においては、画像処理装置が省電力状態であっても、ＨＤＤには電源を供給し続けることが好ましい。他方、画像処理装置全体の省電力化においては、非使用時にＨＤＤへの電源供給を停止する必要がある。
即ち、ＨＤＤを有する画像処理装置の省電力制御において、ＨＤＤへの電源供給をどのように切り換えるべきかは、装置の使用態様、用途及び環境によって異なる。このような課題は、ＨＤＤのような磁気記憶媒体を用いた記憶装置に限らず、光記憶媒体等、他のディスク記憶装置であっても同様に発生し得る。また、特許文献１においては、装置のコントローラ（コントローラボード）の省電力時においても、コントローラボードが２つの省電力化信号を使い分けるようになっており、当該信号を送信する部位については電源を供給し続ける必要があり、省電力状態として不完全である。特に、コントローラの省電力化のためには、ＣＰＵ（Central Processing Unit）への電源供給を停止することが好ましいが、ＣＰＵへの電源供給を停止した場合、画像処理装置各部への電源供給を切り換える信号をソフトウェア制御することが出来ない。
本発明は、上述した実情を考慮してなされたもので、画像処理装置の省電力状態における省電力効果の向上及びディスク記憶装置への電源供給有無の任意設定可能化を図ることを目的とする。
【課題を解決するための手段】
【０００４】
上記の課題を解決するために、請求項１に記載の発明は、ディスク記憶装置を搭載可能な画像処理装置であって、動作制御を行う制御部と、前記ディスク記憶装置へ電源を供給する電源供給回路と、少なくとも前記制御部を含む各部への電源供給を停止する省電力信号を送信する省電力信号送信部と、前記省電力信号に基づいて前記電源供給回路の電源供給有無を切り換える電源切換信号を送信する電源切換回路と、を備えることを特徴とする。
また、請求項２に記載の発明は、請求項１に記載の画像処理装置において、画像処理を実行する実行エンジンと、前記実行エンジンを駆動するエンジン駆動部と、を備え、前記省電力信号送信部は、前記エンジン駆動部への電源供給有無状態を示すエンジン電源切換信号に基づいて前記省電力信号を送信することを特徴とする。
また、請求項３に記載の発明は、請求項２に記載の画像処理装置において、前記省電力信号送信部は、前記エンジン電源切換信号の状態遷移に応じた前記省電力信号の状態遷移タイミングを調整するタイミング調整回路を備えることを特徴とする。
また、請求項４に記載の発明は、請求項１乃至３いずれか１項に記載の画像処理装置において、前記省電力信号送信部が送信する前記省電力信号の信号状態に関わらず、前記電源切換回路に入力される信号の信号状態を固定する切換スイッチを備えることを特徴とする。
また、請求項５に記載の発明は、請求項１乃至４いずれか１項に記載の画像処理装置において、前記制御部は、前記画像処理装置を省電力状態へと遷移させる省電力制御信号を送信し、前記省電力信号送信部は、前記省電力制御信号の状態が“Ｌｏｗ”である場合に前記省電力信号を送信することを特徴とする。
また、請求項６に記載の発明は、請求項１乃至５いずれか１項に記載の画像処理装置において、前記制御部は、前記ディスク記憶装置への電源供給を停止する電源制御信号を送信し、前記電源切換回路は前記省電力信号と前記電源制御信号とに基づいて前記電源切換信号を送信することを特徴とする。
【０００５】
また、請求項７に記載の発明は、請求項６に記載の画像処理装置において、前記省電力信号送信部は、前記制御部が送信する制御信号の状態が“Ｌｏｗ”に遷移したことに応じて前記省電力信号として“Ｈｉｇｈ”状態の信号を出力し、前記電源切換回路は、前記電源制御信号と前記省電力信号との論理和により前記電源切換信号を生成することを特徴とする。
また、請求項８に記載の発明は、請求項１乃至７いずれか１項に記載の画像処理装置において、前記ディスク記憶装置と前記制御部との間で信号を伝達する中間回路と、前記省電力信号に基づいて前記中間回路への信号の入力及び前記中間回路からの信号の出力のうち少なくともいずれか一方を遮断する出力可否切換回路と、を備え、前記中間回路は、前記省電力信号に基づいて電源供給が停止されることを特徴とする。
また、請求項９に記載の発明は、請求項８に記載の画像処理装置において、前記出力可否切換回路は、前記省電力信号と前記制御部が送信する制御信号とに基づいて動作することを特徴とする。
また、請求項１０に記載の発明は、請求項６又は７に記載の画像処理装置において、前記ディスク記憶装置と前記制御部との間で信号を伝達する中間回路と、前記省電力信号と前記電源制御信号とに基づいて前記中間回路への信号の入力及び前記中間回路からの信号の出力のうち少なくともいずれか一方を遮断する出力可否切換回路と、を備え、前記中間回路は、前記省電力信号に基づいて電源供給が停止されることを特徴とする。
また、請求項１１に記載の発明は、ディスク記憶装置を搭載可能な画像処理装置の制御方法であって、前記画像処理装置の状態に応じて、当該画像処理装置を所定の状態に遷移させる装置状態遷移信号を送信し、前記装置状態遷移信号に基づいて少なくとも前記画像処理装置の動作を制御する制御部を含む各部への電源供給を停止する省電力信号を送信し、前記第省電力信号に基づいて前記ディスク記憶装置への電源供給有無を切り換える電源切換信号を送信することを特徴とする。
【発明の効果】
【０００６】
本発明によれば、画像処理装置の省電力状態における省電力効果の向上及びディスク記憶装置への電源供給有無の任意設定可能化を図ることが可能となる。
【発明を実施するための最良の形態】
【０００７】
以下、図面を参照して、本発明の実施形態を詳細に説明する。
本発明は、ＨＤＤ等のディスク型記憶装置を搭載した画像処理装置であって、画像処理装置を制御するコントローラの省電力化のためにコントローラを制御するＣＰＵ等の制御部への電源供給を停止する場合に、制御部への電源供給が停止した状態において所定の値を有する信号出力に基づき、ＨＤＤへの電源供給有無を決定するものである。
【実施例１】
【０００８】
本実施例においては、画像処理装置に搭載されるＨＤＤへの電源供給有無の切り換えを画像処理装置のコントローラによるソフトウェア制御で行うと共に、コントローラの省電力状態としてコントローラＣＰＵへの電源供給が停止した場合には、ハードウェアによってＨＤＤへの電源供給有無を決定する例を説明する。具体的には、コントローラＣＰＵへの電源供給を停止するきっかけとなる信号や電源供給停止を実行するための信号等、コントローラＣＰＵへの電源供給が停止した状態において“Ｈｉｇｈ”若しくは“Ｌｏｗ”が固定される信号出力に基づいて、ＨＤＤへの電源供給有無を決定する。
図１は、本実施例に係る画像処理装置１の全体構成を示すブロック図である。図に示すように、本実施例に係る画像処理装置１は、装置全体を制御するコントローラボード１００、各種エンジンを駆動するエンジンボード１１０、実際に画像形成を実行するプリンタエンジン１１１、画像撮像を実行するスキャナエンジン１１２、画像処理装置１への操作及び情報の視覚的出力を行うディスプレイパネル１１３及び画像処理装置１の各部に電源を供給する電源装置１２０を有する。
また、本実施例に係るコントローラボード１００は、ＣＰＵ１０１、ＡＳＩＣ１０２、ＲＡＭ１０３、ＲＯＭ１０４、ＮＶＲＡＭ１０５、各種Ｉ／Ｆ１０６及びＨＤＤ１０７を有する。尚、図１においては、信号伝達を実線で示し、電源供給を破線で示す。ＲＡＭ１０３は一般的にＤＲＡＭ等の揮発性メモリによって構成される。ＲＯＭ１０４、ＮＶＲＡＭ１０５のいずれかに格納されたファームウェア等の制御プログラムがＲＡＭ１０３にロードされ、ＣＰＵ１０１の制御に従って画像処理装置１の動作を制御する制御部が構成される。ＲＯＭ１０４、ＮＶＲＡＭ１０５には上述したファームウェア等の制御プログラムの他、画像処理装置１の運用において使用される各種の情報が格納されている。ＨＤＤ１０７は、磁気ディスク記憶媒体を有するディスク記憶装置であり、アドレス帳、追加フォント及び蓄積文書、画像等が格納されている。
ＡＳＩＣ１０２は、コントローラボード１００における信号伝達及び電源供給の切り換えを行う集積回路である。ＡＳＩＣ１０２については後に詳述する。各種Ｉ／Ｆ１０６としては、画像処理装置１をホスト装置やＬＡＮ（Local Area Network）に接続するためのＥｔｈｅｒｎｅｔ（登録商標）インターフェースや、ＵＳＢ（Universal Serial Bus）インターフェース及び画像処理装置に接続する可搬型記憶媒体のインターフェース等がある。プリンタエンジン１１１、スキャナエンジン１１２及びディスプレイパネル１１３（以降、各エンジン１１１〜１１３とする）はエンジンボード１１０に接続され、エンジンボード１１０がコントローラ１００（ＡＳＩＣ１０２）に接続される。エンジンボード１０２は、コントローラ１００からの命令に従い、各エンジン１１１〜１１３を駆動する。
【０００９】
次に、図２を用いて本実施例に係る画像処理装置１の電源制御に係る機能ブロックについて説明する。
ＲＯＭ１０４若しくはＮＶＲＡＭ１０５に格納されているファームウェアがＲＡＭ１０３にロードされ、ＣＰＵ１０１と連動して画像処理装置１の各動作を制御する制御部１０８が構成される。制御部１０８は、画像処理装置１の動作状態に応じて、画像処理装置１の各部を省電力状態とする信号Ｓ１、Ｓ２及びＳ５を送信する。信号Ｓ１は、画像処理装置１をエンジン省電力モードへ遷移させる信号である。エンジン省電力モードとは、各エンジン１１１〜１１３への電源供給が停止した状態である。制御部１０８が送信した信号Ｓ１は、ＡＳＩＣ１０２を介して電源装置１２０に入力される。信号Ｓ１を受信した電源装置１２０は、各エンジン１１１〜１１３への電源供給を停止する。
信号Ｓ２は、画像処理装置１をエンジンボード省電力モードへ遷移させる省電力制御信号である。エンジンボード省電力モードとは、エンジンボード１１０への電源供給が停止した状態である。信号Ｓ２は制御部１０８からＡＳＩＣ１０２を介して、エンジンボード１１０のコントローラＩ／Ｆ１１０ａに入力される。コントローラＩ／Ｆ１１０ａは、エンジンボード１１０におけるコントローラボード１００（ＡＳＩＣ１０２）との接続部であり、信号Ｓ２の他、各エンジン１１１〜１１３を動作させるための信号もコントローラＩ／Ｆ１１０ａに入力される。コントローラＩ／Ｆ１１０ａは、信号Ｓ２に応じて信号Ｓ３を送信する。
信号Ｓ３は、画像処理装置１がエンジンボード省電力モードへと遷移した後、コントローラ省電力モードへと遷移させる信号である。即ち、信号Ｓ３は、エンジンボード１１０への電源供給状態を示すエンジン電源切換信号である。コントローラ省電力モードとは、コントローラボード１００への電源供給が停止した状態である。
【００１０】
信号Ｓ３は、コントローラＩ／Ｆ１１０ａからＡＳＩＣ１０２のコントローラ省電力回路１０２ａに入力される。コントローラ省電力回路１０２ａは、コントローラボード１００各部への電源供給を停止させる回路であり、信号Ｓ３に応じて信号Ｓ４を送信する。信号Ｓ４はコントローラ省電力信号であり、コントローラボード１００に含まれる各部への電源供給を切り換える電源制御回路（不図示）に入力され、コントローラボード１００各部への電源供給を停止する。
ここで、信号Ｓ４により電源供給が停止される部位としては、図１に示すＣＰＵ１０１、ＲＡＭ１０３、ＲＯＭ１０４、ＮＶＲＡＭ１０５等が含まれる。信号Ｓ４は、上述した電源制御回路に入力される他、ＨＤＤ電源制御回路１０９にも入力される。また、信号Ｓ５も、ＨＤＤ電源制御回路１０９に入力される。信号Ｓ５は、制御部１０８がソフトウェア制御によってＨＤＤ１０７への電源供給を制御するための記憶装置の電源制御信号である。
また、画像処理装置１は、コントローラ省電力モードにおけるＨＤＤ１０７の電源ＯＮ／ＯＦＦを切り換える切換ＳＷ１１４を有し、この切換ＳＷ１１４の出力信号Ｓ６もＨＤＤ電源制御回路１０９に入力される。ＨＤＤ電源制御回路１０９は、ＨＤＤ１０７の電源を制御する回路であり、信号Ｓ４、Ｓ５及びＳ６の信号状態に応じてＨＤＤ１０７への電源供給有無を切り換える。尚、図２において、ＨＤＤ電源制御回路１０９は、ＡＳＩＣ１０２とは別に設けられているが、ＡＳＩＣ１０２内部に実装されていても良い。
次に、エンジンボード省電力モード及びコントローラ省電力モードについて説明する。尚、エンジン省電力モードについては、電源装置１２０が信号Ｓ１に応じて各エンジン１１１〜１１３への電源供給を停止するのみであり、説明を省略する。
【００１１】
図３は、コントローラＩ／Ｆ１１０ａの電源切り換えに係る回路構成例及びその周辺部を示すブロック図である。図３に示すように、コントローラＩ／Ｆ１１０ａは、エンジンボード電源供給用のトランジスタ１１０ｂ及びコントローラ省電力信号送信用のトランジスタ１１０ｃを有する。トランジスタ１１０ｂ及び１１０ｃのベース電極には信号Ｓ２が入力されている。また、トランジスタ１１０ｂのソース電極には電源装置１２０からの供給電源が入力され、ドレイン電極はエンジンボード１１０各部への電源供給端子に接続されている。従って、トランジスタ１１０ｂは、信号Ｓ２の信号状態に応じて、電源装置１２０からエンジンボード１１０への電源供給を切り換える。トランジスタ１１０ｃのソース電極には定電位（“Ｈｉｇｈ”）が接続されており、ドレイン電極は信号Ｓ３の送信端子に接続されている。従って、トランジスタ１１０ｃは、信号Ｓ２の信号状態に応じて、信号Ｓ３の“Ｈｉｇｈ”／“Ｌｏｗ”を切り換える。
制御部１０８は、画像処理装置１の通常状態及びエンジン省電力モードにおいて、信号Ｓ２として“Ｈｉｇｈ”を出力している。従って、画像処理装置１の通常状態及びエンジン省電力モードにおいては、トランジスタ１１０ｂ及び１１０ｃはオン状態となっており、電源装置１２０からエンジンボード１１０の各部へ電源が供給されると共に、信号Ｓ３の信号状態は“Ｈｉｇｈ”となっている。これに対し、制御部１０８が画像処理装置１の状態に応じてエンジンボード省電力モードへの遷移を決定すると、信号Ｓ２の信号状態が“Ｌｏｗ”となる。これにより、トランジスタ１１０ｂ及び１１０ｃはオフ状態となり、電源装置１２０からエンジンボード１１０の各部への電源供給が停止すると共に、信号Ｓ３の信号状態は“Ｌｏｗ”となる。
【００１２】
次に、図４、図５を用いて、コントローラ省電力モードについて説明する。
図４は、コントローラ省電力回路１０２ａの回路構成例を示す。
図４に示すように、コントローラ省電力回路１０２ａは、コントローラ省電力切換用のトランジスタ１０２ｂを有する。トランジスタ１０２ｂのベース電極には信号Ｓ３が入力されている。また、トランジスタ１０２ｂのソース電極には定電位（“Ｈｉｇｈ”）が接続されており、ドレイン電極は信号Ｓ４の送信端子に接続されている。従って、トランジスタ１０２ｂは、信号Ｓ３の信号状態に応じて、信号Ｓ４の“Ｈｉｇｈ”／“Ｌｏｗ”を切り換える。即ち、トランジスタ１０２ｂは、省電力信号送信部として動作する。トランジスタ１０２ｂはＮ型のトランジスタであり、入力信号Ｓ３が“Ｌｏｗ”の場合にオン状態となる。従って、図３において説明したように、画像処理装置１がエンジンボード省電力モードへ遷移して信号Ｓ３の信号状態が“Ｌｏｗ”となることによって、トランジスタ１０２ｂがオン状態となり、信号Ｓ４の信号状態が“Ｈｉｇｈ”となる。これにより、画像処理装置１がコントローラ省電力モードへと遷移する。尚、信号Ｓ４に基づいてコントローラボード各部への電源供給を切り換える電源制御回路は、例えば、ソース電極に供給電源が入力され、ドレイン電極がコントローラボード各部への電源供給端子に接続されたＮ型のトランジスタによって構成することができる。
【００１３】
図５は、ＨＤＤ電源制御回路１０９の回路構成例及びその周辺部を示すブロック図である。
図５に示すように、ＨＤＤ電源制御回路１０９は、論理和回路１０９ａ、ＨＤＤ電源供給用のトランジスタ１０９ｂ及びＨＤＤ電源切換用のトランジスタ１０９ｃを有する。また、切換ＳＷ１１４は、一端が定電位（“Ｈｉｇｈ”）に接続され、他端が信号Ｓ６の出力端子に接続されたスイッチ１１４ａを有する。トランジスタ１０９ｃのベース電極には、切換ＳＷ１１４の出力信号である信号Ｓ６が入力されている。また、トランジスタ１０９ｃのソース電極には信号Ｓ４が入力され、ドレイン電極は論理和回路１０９ａの入力端子に接続されている。トランジスタ１０９ｃのドレイン電極の出力信号を信号Ｓ４´とする。また、トランジスタ１０９ｃのドレイン電極と論理和回路１０９ａの入力端子との間は抵抗を解して接地されている。論理和回路１０９ａは、トランジスタ１０９ｃの出力信号Ｓ４´と信号Ｓ５との論理和を信号Ｓ７として出力する。
ここで、トランジスタ１０９ｃの出力信号Ｓ４´は、切換ＳＷ１１４が信号Ｓ６として“Ｈｉｇｈ”を出力している時、即ちスイッチ１１４ａがオン状態の時、信号Ｓ４の信号状態に順ずる。従って、論理和回路１０９ａは、信号Ｓ６が“Ｈｉｇｈ”の場合、信号Ｓ４とＳ５との論理和を信号Ｓ７として出力する。他方、信号Ｓ６が“Ｌｏｗ”の場合、信号Ｓ４´は信号Ｓ４の状態に関わらず“Ｌｏｗ”に固定される。トランジスタ１０９ｂは、Ｎ型のトランジスタであり、そのベース電極に信号Ｓ７が入力されている。また、トランジスタ１０９ｂのソース電極はコントローラボード１００に供給されている電源に接続されており、ドレイン電極はＨＤＤ１０７への電源供給端子に接続されている。従って、トランジスタ１０９ｂは、信号Ｓ７の信号状態に応じて、ＨＤＤ１０７に電源を供給する電源供給回路として動作する。また、論理和回路１０９ａは、トランジスタ１０９ｂの状態を切り換える電源切換信号として信号Ｓ７を出力する電源切換回路として動作する。
【００１４】
次に、図６を用いて、本実施例に係る画像処理装置１の電源制御動作について説明する。図６は、夫々の省電力モードにおける信号Ｓ１〜Ｓ７の信号状態を示すタイミングチャートである。画像処理装置１の通常状態においては、制御部１０８の出力信号Ｓ１、Ｓ２は共に“Ｈｉｇｈ”となっている。従って、電源装置１２０から各エンジン１１１〜１１３に対して電源が供給される状態となっている。また、信号Ｓ２が“Ｈｉｇｈ”であるため、トランジスタ１１０ｂはオン状態であり、電源装置１２０からエンジンボード１１０の各部に対して電源が供給されている。更に、トランジスタ１１０ｃもオン状態であるため、信号Ｓ３の信号状態は“Ｈｉｇｈ”であり、トランジスタ１０２ｂがオフであるため信号Ｓ４の信号状態は“Ｌｏｗ”である。従って、コントローラボード１００の各部に対して電源が供給された状態となる。
また、信号Ｓ４が“Ｌｏｗ”であるため、切換ＳＷ１１４の切換による出力信号Ｓ６に関わらず、信号Ｓ４´の信号状態は“Ｌｏｗ”となる。従って、制御部１０８の出力信号Ｓ５によって信号Ｓ７の状態を切り換え、トランジスタ１０９ｂのスイッチ状態及びＨＤＤ１０７への電源供給有無を切り換えることが可能である。即ち、画像処理装置１の通常状態においては、ＨＤＤ１０７への電源供給有無をソフトウェア制御によって切り換えることが可能である。
尚、画像処理装置１の通常状態においては、ＨＤＤ１０７へ電源を供給する場合は、制御部１０８が信号Ｓ５として“Ｌｏｗ”を出力し、ＨＤＤ１０７への電源供給を停止する場合は“Ｈｉｇｈ”を出力する。また、画像処理装置１の通常状態においては、信号Ｓ４が“Ｌｏｗ”であるため、信号Ｓ６の状態は特に意味を成さない。
エンジン省電力モードにおいては、制御部１０８の出力信号Ｓ１が“Ｌｏｗ”となり、電源装置１２０から各エンジン１１１〜１１３への電源供給が停止する。その他の部分は、通常状態と同様である。エンジンボード省電力モードにおいては、まず、画像処理装置１の状態を検出した制御部１０８が信号Ｓ２として“Ｌｏｗ”を出力する。これにより、トランジスタ１１０ｂがオフ状態となり、電源装置１２０からエンジンボード１１０各部への電源供給が停止する。また、トランジスタ１１０ｃもオフ状態となり、信号Ｓ３の信号状態が“Ｌｏｗ”となる。その他の部分は、通常状態と同様である。信号Ｓ３が“Ｌｏｗ”となり、トランジスタ１０２ｂがオン状態となることによって、画像処理装置１はエンジンボード省電力モードからコントローラ省電力モードへと遷移する。
尚、図３、図４に示す論理回路においては、信号Ｓ２が“Ｌｏｗ”の場合、信号Ｓ３が“Ｌｏｗ”であり信号Ｓ４が“Ｈｉｇｈ”であるように構成されているが、実際には信号Ｓ２が“Ｌｏｗ”となった後、信号Ｓ４が“Ｈｉｇｈ”になるまでには遅延が生じる。この遅延時間は、例えばトランジスタ１１０ｃのドレイン電極とトランジスタ１０２ｂのベース電極との間をプルダウンする回路の抵抗値（図４に示す抵抗Ｒの抵抗値）を調整することによって調整することができる。即ち、図４に示す抵抗Ｒは、タイミング調整回路として動作する。また、トランジスタ１１０ｃのドレイン電極とトランジスタ１０２ｂのベース電極との間に遅延回路を設けても良いし、制御部１０８とトランジスタ１１０ｃのベース電極との間に遅延回路を設けても良い。更には、トランジスタ１０２ｂのソース電極に供給する定電位のＨｉｇｈ／Ｌｏｗを制御部１０８の制御によって切り換えても良い。
【００１５】
また、図６においては、信号Ｓ２が“Ｌｏｗ”となるのと同時、即ちエンジン省電力モードからエンジンボード省電力モードに遷移するタイミングで信号Ｓ３が“Ｌｏｗ”となる例を示しているが、上述した回路構成の態様により、エンジンボード省電力モードからコントローラ省電力モードに遷移するタイミングで切り換わる場合や、エンジンボード省電力モードの途中で切り換わる場合もあり得る。このタイミングは、上述した抵抗Ｒの抵抗値や、トランジスタ１１０ｃのベース電極側をプルダウンする回路の抵抗（不図示）の抵抗値及び遅延回路を設ける位置により調整することができる。
尚、トランジスタ１１０ｃを設けず、信号Ｓ２を直接若しくは遅延回路を介してトランジスタ１０２ｂのソース電極に入力しても良い。即ち、信号Ｓ２をエンジン電源切換信号として用いても良い。また、信号Ｓ２の反転信号を信号Ｓ４として用いても良い。これにより、回路の簡略化を図ることが出来る。他方、本実施例のように、信号Ｓ２がコントローラＩ／Ｆ１１０ａに入力され、トランジスタ１１０ｃを介して信号Ｓ３としてトランジスタ１０２ｂに入力することにより、エンジンボード省電力モードへの遷移を確認した後、コントローラ省電力モードへ遷移させることができる。
また、コントローラ省電力モードにおいては、信号Ｓ４の信号状態が“Ｈｉｇｈ”であり、これによってコントローラボード１００各部への電源供給が停止する。この時、コントローラボード１００において電源供給が停止する部分としては、上述したようにＣＰＵ１０１、ＲＡＭ１０３、ＲＯＭ１０４、ＮＶＲＡＭ１０５等であり、少なくともＡＳＩＣ１０２及びＨＤＤ電源制御回路１０９へは継続して電源が供給される。即ち、図４に示すコントローラ省電力回路１０２ａに含まれる定電位も“Ｈｉｇｈ”の状態を保つことができるため、信号Ｓ４の信号状態も“Ｈｉｇｈ”に保たれる。コントローラ省電力モードにおいては、上述の通りＣＰＵ１０１への電源供給が停止するため、制御部１０８がその動作を停止し、信号Ｓ５は強制的に“Ｌｏｗ”に固定される。従って、コントローラ省電力モードにおいては、画像処理装置１は、ソフトウェア制御によりＨＤＤ１０７への電源供給有無を切り換えることが不可能となる。
【００１６】
コントローラ省電力モードにおいては、スイッチ１１４ａのスイッチ状態、即ち、切換ＳＷ１１４の出力信号Ｓ６の信号状態に応じて、ハードウェアによりＨＤＤ１０７への電源供給を切り換えることが可能である。ここで、図６に示すように、コントローラ省電力モードにおいてＨＤＤ１０７に電源が供給されている状態を状態Ａ、ＨＤＤ１０７に電源が供給されていない状態を状態Ｂとする。具体的には、スイッチ１１４ａのスイッチ状態がオンの場合（状態Ｂ）、即ち切換ＳＷ１１４の出力信号Ｓ６が“Ｈｉｇｈ”の場合、トランジスタ１０９ｃがオンとなり、信号Ｓ４´の信号状態は信号Ｓ４の信号状態に順ずる。コントローラ省電力モードにおいては、信号Ｓ４は“Ｈｉｇｈ”であるため、スイッチ１１４ａがオンの場合、コントローラ省電力モードにおける論理和回路１０９ａの出力信号Ｓ７は“Ｈｉｇｈ”となる。従って、トランジスタ１０９ｂがオフとなり、ＨＤＤ１０７への電源供給が停止する。即ち、切換ＳＷ１１４の出力信号Ｓ６が“Ｈｉｇｈ”となるように切り換えることにより、コントローラ省電力モードにおけるＨＤＤ１０７の電源をオフ状態にすることができる。
他方、スイッチ１１４ａのスイッチ状態がオフであり、切換ＳＷ１１４の出力信号Ｓ６が“Ｌｏｗ”の場合（状態Ａ）、トランジスタ１０９ｃがオフとなり、そのドレイン電極はプルダウンされ、信号Ｓ４´の信号状態は“Ｌｏｗ”となる。コントローラ省電力モードにおいては信号Ｓ５も“Ｌｏｗ”に固定されているため、論理和回路１０９ａの出力信号Ｓ７は“Ｌｏｗ”となる。従って、トランジスタ１０９ｂがオンとなり、ＨＤＤ１０７へ電源が供給される状態となる。即ち、切換ＳＷ１１４の出力信号Ｓ６が“Ｌｏｗ”となるように切り換えることにより、コントローラ省電力モードにおけるＨＤＤ１０７の電源をオン状態にすることができる。
ＨＤＤ１０７への電源供給を、制御部１０８によるソフトウェア制御信号（信号Ｓ５）のみで制御する場合、ＣＰＵ１０１への電源供給が停止した状態において、その制御信号は“Ｌｏｗ”に固定される。従って、ＨＤＤ１０７への電源供給有無もどちらか一方（本実施例においては電源供給有）に固定されることとなる。本実施例における画像処理装置１は、ＨＤＤ１０７へ電源を供給するトランジスタ１０９ｂのソース電極に入力する信号、即ちＨＤＤ１０７への電源供給有無を切り換える信号Ｓ７を、制御部１０８が出力するソフトウェア制御の信号Ｓ５と画像処理装置１の状態によって決定される信号Ｓ４´との論理和により生成している。従って、画像処理装置１のコントローラのＣＰＵ１０１に電源が供給され、制御部１０８が動作している場合には制御部１０８によるソフトウェア制御によってＨＤＤ１０７への電源供給有無を切り換えることが可能である。また、ＣＰＵ１０１への電源供給が停止し、制御部１０８が動作していない場合には、その状態においてＨｉｇｈ／Ｌｏｗが固定される信号Ｓ２、Ｓ３、Ｓ４及びＳ５並びにユーザによる手動切換によってＨｉｇｈ／Ｌｏｗが決定される信号Ｓ６に基づいてトランジスタ１０９ｂのオン／オフを切り換えることにより、ハードウェアによってＨＤＤ１０７への電源供給有無を切り換えることができる。
【００１７】
以上説明したように、本実施例に係る画像処理装置においては、コントローラを制御するＣＰＵ等の制御部への電源供給を停止することにより、省電力状態における省電力効果の向上を図ることが可能であると共に、制御部が停止した状態であっても、ディスク記憶装置への電源供給有無の任意の設定を可能にすることができる。
尚、上記の説明においては、切換ＳＷ１１４を設け、手動によりコントローラ省電力モード（ＣＰＵが停止した状態）におけるＨＤＤ１０７への電源供給状態を切換可能である例を説明した。しかしながら、ユーザによっては、そのような切り換えが不要であり、コントローラ省電力モードにおけるＨＤＤ１０７の電源供給有無を固定する方が好ましい場合がある。従って、切換ＳＷ１１４及びトランジスタ１０９ｃを設けず、信号Ｓ４を論理和回路１０９ａに直接入力するようにしても良い。これにより、コントローラ省電力モードにおける論理和回路１０９ａの出力信号Ｓ７は“Ｈｉｇｈ”となり、コントローラ省電力モードにおけるＨＤＤ１０７の電源はオフに固定される。また、信号Ｓ４´として論理和回路１０９ａに入力する信号をプルダウンにより“Ｌｏｗ”に固定しても良い。これにより、コントローラ省電力モードにおける論理和回路１０９ａの出力信号Ｓ７は“Ｌｏｗ”となり、コントローラ省電力モードにおけるＨＤＤ１０７の電源はオンに固定される。
また、上記の説明においては、図３〜図４に論理回路の構成を示し、夫々の入力信号若しくは出力信号の状態としてＨｉｇｈ／Ｌｏｗを具体的に示した。しかしながら、夫々の出力信号のＨｉｇｈ／Ｌｏｗ状態が逆極性の場合であっても、論理構成により実現することが可能であり、具体的な論理構成及び信号状態は適宜変更することができる。しかしながら、本実施例のように、コントローラの制御部を構成するＣＰＵへの電源供給を停止した場合においては、制御部が送信するソフトウェア制御信号（信号Ｓ２）が“Ｌｏｗ”となることを前提として論理回路を構成することが好ましい。これにより、ＣＰＵへの電源供給が停止した場合における電源供給の切換論理を容易に構成することができる。トランジスタ１０２ｂやトランジスタ１０９ｂ等を用いる上記の論理構成例に限らず、その他のスイッチング素子及び論理構成を用いることにより、上記と同様の効果を得ることが可能である。
また、上記の説明においては、記憶装置電源切換信号（信号Ｓ７）を、省電力制御信号（信号Ｓ５）とコントローラ省電力信号（信号Ｓ４）とに基づいて生成する例を説明したが、例えば、信号Ｓ５と信号Ｓ４とによるＨＤＤ１０７の電源制御を別々の回路を用いて行っても良い。しかしながら、上記実施例のように論理和回路を用いることにより回路構成を簡略化することができる。
【実施例２】
【００１８】
本実施例においては、ＡＳＩＣ１０２とＨＤＤ１０７との間で各種の制御信号や実際のデータの信号伝達を行うバッファ回路の電源供給及び動作の切り換えについて説明する。尚、実施例１と同様の符号を付す構成については実施例１と同一又は相当部を示し、説明を省略する。ＨＤＤ１０７とコントローラボード１００とを接続するケーブルの長さや種類は、画像処理装置１におけるＨＤＤ１０７の実装位置やＨＤＤ１０７の種類等によって選択する必要がある。そのため、コントローラボード１００の制御部１０８（若しくはＡＳＩＣ１０２）とＨＤＤ１０７とは、バッファを介して接続されることが一般的である。
本実施例においては、実施例１において説明したコントローラ省電力モードにおいて、ＨＤＤの信頼性低下や起動速度等の問題に対応するためにＨＤＤへの電源供給を継続する場合を考える。このような場合、ＨＤＤへアクセスする必要はない（ＣＰＵが停止しているためアクセスし得ない）ため、バッファ回路への電源供給は不要であり、省電力効果の向上のためにはコントローラボード各部への電源供給停止に伴って、バッファ回路への電源供給も停止することが好ましい。しかしながら、ＨＤＤへの電源供給が継続されたままバッファ回路への電源供給を停止すると、ＨＤＤからバッファ回路側へ電流が流れ込み、バッファ回路及びその上位の構成に不具合が発生する可能性がある。また、バッファ回路への電源供給が継続されたままＨＤＤへの電源供給を停止すると、バッファ回路からＨＤＤ側へ電流が流れ込み、同様に不具合が発生する可能性がある。本実施例は、ＨＤＤとバッファ回路とのどちらか一方への電源供給を継続したまま他方への電源供給を停止する場合に、一方から他方への電流の回りこみによる不具合を解消することを目的とする。
【００１９】
図７は、本実施例に係る画像処理装置１の一部を示すブロック図である。図に示すように、本実施例に係る画像処理装置１は、ＡＳＩＣ１０２とＨＤＤ１０７との間に中間回路してバッファ回路１１５が設けられており、ＡＳＩＣ１０２とＨＤＤ１０７とは、バッファ回路１１５を介して情報の送受信を行う。また、バッファ回路１１５の出力可否を切り換えるバッファ切換回路１１６を有する。バッファ切換回路１１６には信号Ｓ４及び信号Ｓ５が入力されており、バッファ切換回路１１６内部の論理和回路１１６ａは、信号Ｓ４と信号Ｓ５との論理和を信号Ｓ８として出力する。バッファ回路１１５は、バッファ部１１５ａ及び出力可否切換回路としての出力可否切換用のトランジスタ１１５ｂを有する。バッファ部１１５ａはＡＳＩＣ１０２とＨＤＤ１０７との信号伝達においてバッファとして機能する。トランジスタ１１５ｂは、そのベース電極に信号Ｓ８が入力され、ソース電極及びドレイン電極が夫々バッファ部１１５ａ及びＨＤＤ１０７側の出力端子に接続されている。尚、図７においては、図示の容易化のために１つのトランジスタ１１５ｂを示すが、実際には、ＨＤＤ１０７とＡＳＩＣ１０２との間で送受信される信号の夫々において出力可否切換用のトランジスタが設けられる。
トランジスタ１１５ｂは、Ｎ型のトランジスタであり、ベース電極に“Ｌｏｗ”が入力されている場合にオンとなって、バッファ部１１５ａとＨＤＤ１０７との信号送受信が可能となる。他方、ベース電極に“Ｈｉｇｈ”が入力されている場合オフとなり、バッファ部１１５ａとＨＤＤ１０７との信号送受信が不可能となる。また、トランジスタ１１５ｂがオフとなった状態において、ＨＤＤ１０７からバッファ回路１１５への回り込み電流、及びバッファ回路１１５からＨＤＤ１０７への回り込み電流を遮断することが可能となる。バッファ回路１１５には、先に説明した信号Ｓ４によって供給が停止される電源、即ちエンジンボード省電力モードからコントローラ省電力モードへの遷移よって供給が停止する電源が供給されておりこの電源によって動作している。
【００２０】
次に、図８を用いて、本実施例に係る画像処理装置１の電源制御動作について説明する。図８は、夫々の省電力モードにおける信号の信号状態並びにＨＤＤ１０７、バッファ回路１１５への電源供給有無を示すタイミングチャートである。通常状態、エンジン省電力モード及びエンジンボード省電力モードにおいては、信号Ｓ４は“Ｌｏｗ”であるため、ＨＤＤ１０７への電源供給有無は専ら信号Ｓ５により決定される。即ち、信号Ｓ５が“Ｈｉｇｈ”である場合にはＨＤＤ１０７の電源はオフとなり、“Ｌｏｗ”である場合にはオンとなる。この時、信号Ｓ４と信号Ｓ５との論理和出力である信号Ｓ８は、信号Ｓ５の信号状態に順ずる。即ち、信号Ｓ５が“Ｈｉｇｈ”であり、ＨＤＤ１０７の電源がオフの場合、信号Ｓ８も“Ｈｉｇｈ”であるため、１１５ｂはオフとなる。従って、バッファ回路１１５からＨＤＤ１０７への電流の回り込みを遮断することが可能である。
他方、通常状態〜エンジンボード出力モードにおいて、信号Ｓ５が“Ｌｏｗ”であり、ＨＤＤ１０７の電源がオンの場合、信号Ｓ８も“Ｌｏｗ”であるため、トランジスタ１１５ｂはオンとなる。従って、ＡＩＳＣ１０２とＨＤＤ１０７との信号伝達が可能となる。コントローラ省電力モードにおいては、信号Ｓ４は“Ｈｉｇｈ”であり、信号Ｓ５は“Ｌｏｗ”である。従って、信号Ｓ８は“Ｈｉｇｈ”となり、トランジスタ１１５ｂはオフとなる。これにより、切換ＳＷ１１４のスイッチング状態により、信号Ｓ６が“Ｌｏｗ”となり、信号Ｓ７が“Ｌｏｗ”となって、ＨＤＤ１０７の電源がオンである場合であっても、ＨＤＤ１０７からバッファ回路１１５側への電流の回り込みを遮断することが可能である。
【００２１】
以上説明したように、本実施例に係る画像処理装置においては、装置に搭載されるＨＤＤとコントローラの制御部との間に設けられる中間回路の出力可否を、コントローラ各部への電源供給有無に連動させて切り換える。これにより、ＨＤＤに電源が供給され、中間回路に電源が供給されていない状態であっても、ＨＤＤから中間回路側への電流の回りこみを遮断し、不具合の発生を防ぐことができる。
尚、ＨＤＤ１０７に電源を供給したままバッファ回路１１５への電源供給を停止する場合、バッファ回路１１５の動作の信頼性による問題より、先にトランジスタ１１５ｂをオフにしてから、即ち信号Ｓ８の状態を“Ｈｉｇｈ”にしてから、電源供給を停止することが好ましい。このような課題に対しては、例えば、トランジスタ１０２ｂが信号Ｓ４を送信した後、その信号Ｓ４がコントローラボード各部への電源供給有無を切り換える電源制御回路に入力されるまでの間に遅延回路を設けることにより、トランジスタ１１５ｂの状態が切り換わるタイミングとバッファ回路１１５への電源供給が停止するタイミングとの間にタイムラグを設けることによって、解決することができる。また、実施例１において説明したように、信号Ｓ２、信号Ｓ３および信号Ｓ４の状態が切り換わるタイミングには夫々誤差があるため、これを利用して、信号Ｓ２若しくは信号Ｓ３と信号Ｓ５とに基づいて信号Ｓ８を生成するようにしても良い。
その他、例えば論理和回路１１６ａに信号Ｓ５と信号Ｓ７の反転信号とを入力し、その論理和によって信号Ｓ８を生成しても良い。この場合、通常状態〜エンジンボード省電力モードについては、上記説明した動作と同等であり、コントローラ省電力モードにおいては、信号Ｓ５が“Ｌｏｗ”であるため、信号Ｓ８は信号Ｓ７の反転信号に順ずることとなる。従って、ＨＤＤ１０７の電源がオンの場合（信号Ｓ７が“Ｌｏｗ”の場合）には信号Ｓ８は“Ｈｉｇｈ”となり、出力可否切換トランジスタ１１５ａがオフとなる。従って、ＨＤＤ１０７からバッファ回路１１５への電流の回り込みを遮断する目的においては問題ない。また、出力可否切換トランジスタ１１５ａのベース電極に信号Ｓ４を直接入力しても良い。これにより、信号Ｓ４の状態が切り換わってから、出力回避トランジスタ１１５ａのオン／オフが切り換わるまでの遅延を低減することができる。
【図面の簡単な説明】
【００２２】
【図１】本発明の実施例に係る画像処理装置の全体構成を示すブロック図である。
【図２】本発明の実施例に係る画像処理装置の機能ブロック図である。
【図３】本発明の実施例に係る画像処理装置の一部の論理構成を示す図である。
【図４】本発明の実施例に係る画像処理装置の一部の論理構成を示す図である。
【図５】本発明の実施例に係る画像処理装置の一部の論理構成を示す図である。
【図６】本発明の実施例に係る画像処理装置の各動作状態における信号状態を示すタイミングチャートである。
【図７】本発明の他の実施例に係る画像処理装置の一部の論理構成を示す図である。
【図８】本発明の他の実施例に係る画像処理装置の各動作状態における信号状態及び各部の電源オン／オフを示すタイミングチャートである。
【符号の説明】
【００２３】
１…画像処理装置、１００…コントローラボード、１０１…ＣＰＵ、１０２…ＡＳＩＣ、１０２ａ…コントローラ省電力回路、１０２ｂ…コントローラ省電力切換用のトランジスタ、１０３…ＲＡＭ、１０４…ＲＯＭ、１０５…ＮＶＲＡＭ、１０６…各種Ｉ／Ｆ、１０７…ＨＤＤ、１０８…制御部、１０９…ＨＤＤ電源制御回路、１０９ａ…論理和回路、１０９ｂ…ＨＤＤ電源供給用のトランジスタ、１０９ｃ…ＨＤＤ電源切換用のトランジスタ、１１０…エンジンボード、１１０ａ…コントローラＩ／Ｆ、１１０ｂ…エンジンボード電源供給用のトランジスタ、１１０ｃ…コントローラ省電力送信用のトランジスタ、１１１…プリンタエンジン、１１２…スキャナエンジン、１１３…ディスプレイパネル、１１４…切換ＳＷ、１１４ａ…スイッチ、１１５…バッファ回路、１１５ａ…バッファ部、１１５ｂ…出力可否切換用のトランジスタ、１１６…バッファ切換回路、１１６ａ…論理和回路。
【図１】
2008179058.tif 000003
【図２】
2008179058.tif 000004
【図３】
2008179058.tif 000005
【図４】
2008179058.tif 000006
【図５】
2008179058.tif 000007
【図６】
2008179058.tif 000008
【図７】
2008179058.tif 000009
【図８】
2008179058.tif 000010